(57)【要約】【課題】天板の大きさが制限されたり、天板を脚体より着脱したりすることなく、複数の机を安定的に積み重ねることができるようにした机を提供する。【解決手段】積み重ね可能な下方が解放された脚体２の前上部の前部横杆４ａを、左右方向を向く枢軸として、前部横杆４ａに、天板１２の前端部の下面を、枢支具１３をもって、ほぼ水平をなす使用位置から、上下方向を向く不使用位置まで、上下方向に回動可能に枢着する。【選択図】図４
2010240208.tif 000002
【特許請求の範囲】
【請求項１】
積み重ね可能な下方が解放された脚体上部の前後いずれか一方の端部に、左右方向を向く枢軸を設け、この枢軸に、天板の前後いずれか一方の端部を、ほぼ水平をなす使用位置から、上下方向を向く不使用位置まで、上下方向に回動可能に枢着したことを特徴とする机。
【請求項２】
脚体が、天板の前後両端部の下面を支持する前後１対の左右方向を向く円形断面の横杆を備えるものとし、前記前後いずれか一方の横杆を枢軸として、天板の前後いずれか一方の端部を枢着したことを特徴とする請求項１に記載の机。
【請求項３】
前部または後部の横杆の両側端部に、天板の前端部または後端部の裏面を、枢支具をもって枢着することにより、不使用位置まで回動させた天板が、脚体の前方または後方に位置するとともに、天板の前端部または後端部の裏面が、脚体上部の前面または後面に当接して停止するようにしたことを特徴とする請求項２に記載の机。
【請求項４】
天板における枢着部と反対側の裏面に、天板を使用位置としたとき、脚体の上端部の下面に係合する係止片と、この係止片を脚体より離脱させる方向に移動させうる操作部とを備える保持具を設けたことを特徴とする請求項１ないし３のいずれかに記載の机。
【請求項５】
前部または後部の横杆の両側端部に、天板の前端部または後端部の裏面を、枢支具をもって枢着することにより、天板が回動可能に枢着され、前記枢支具は、前記天板の回動時に、脚体に接触して弾性変形される変形部を有することを特徴とする請求項２ないし４のいずれかに記載の机。
【発明の詳細な説明】
【技術分野】
【０００１】
本発明は、学校や講堂、会議室等において使用される積み重ね可能な机（テーブルも含む）に関する。
【背景技術】
【０００２】
学校や講堂、会議室等において使用される積み重ね可能な机としては、例えば、特許文献１〜３に記載されているものがある。
【先行技術文献】
【特許文献】
【０００３】
【特許文献１】実開昭４９−１０１９０５号公報
【特許文献２】実開昭５５−３００６５号公報
【特許文献３】特開２００４−３２１６５８号公報
【発明の概要】
【発明が解決しようとする課題】
【０００４】
複数の机を不使用時に積み重ねておけるようにするためには、前記特許文献１及び２に記載されている机のように、前後または左右に対向する脚杆を、天板の周端よりも外方、すなわち、脚体よりも天板の大きさを小さくする必要がある。しかし、このようにすると、天板面の作業スペースが小さくなり、使い勝手が悪くなるだけでなく、学校等において、複数の机を、脚体同士を互いに当接または近接させて左右方向に並べて配置する際に、互いに隣接する机の天板間に隙間が形成され、この隙間より文房具等が落下してしまうという問題が生じる。
【０００５】
また、天板も併せて積み重ねるので、複数の机を積み重ねた際、天板の厚さ分だけ積み重ね高さが高くなり、安定性が悪くなる。
【０００６】
前記特許文献３に記載の机においては、脚体と天板の左右寸法がほぼ等しいので、天板面の作業スペースはそれほど小さくならず、また、複数の机を、脚体同士を互いに当接または近接させて左右方向に並べて配置した際に、互いに隣接する机の天板間に隙間が形成されるという問題の発生する恐れも小さい。しかし、天板を取り外して、脚体のみを積み重ねる構成であるので、天板を脚体より着脱する作業が面倒である。
【０００７】
本発明は、このような問題点に着目してなされたもので、天板の大きさが制限されたり、天板を脚体より着脱したりすることなく、複数の机を安定的に積み重ねることができるようにした机を提供することを目的としている。
【課題を解決するための手段】
【０００８】
前記課題を解決するために、本発明の机は、
積み重ね可能な下方が解放された脚体上部の前後いずれか一方の端部に、左右方向を向く枢軸を設け、この枢軸に、天板の前後いずれか一方の端部を、ほぼ水平をなす使用位置から、上下方向を向く不使用位置まで、上下方向に回動可能に枢着したことを特徴としている。
この特徴によれば、天板を上下方向を向く不使用位置まで回動させることにより、複数の机を、下位の机の天板と干渉させずに積み重ねることができる。従って、天板の前後左右寸法が、脚体により制限されることがなく、その平面形よりも大とすることができるので、机同士を左右に隣接して配置した際に、左右の天板間に隙間が形成されるのが防止される。また、天板を上向きに回動させた状態で積み重ねできるので、従来のように、天板を脚体から着脱する手間が省けるとともに、天板の厚さ分だけ、積み重ね高さが低くなるので、複数積み重ねた椅子の安定性が高まる。
【０００９】
本発明の机は、
脚体が、天板の前後両端部の下面を支持する前後１対の左右方向を向く円形断面の横杆を備えるものとし、前記前後いずれか一方の横杆を枢軸として、天板の前後いずれか一方の端部を枢着したことを特徴としている。
この特徴によれば、脚体の横杆を天板の枢軸としているので、天板を安定的に支持して上下方向に円滑に回動させることができるとともに、枢軸を別途設ける必要がないので、部品点数が削減される。
【００１０】
本発明の机は、
前部または後部の横杆の両側端部に、天板の前端部または後端部の裏面を、枢支具をもって枢着することにより、不使用位置まで回動させた天板が、脚体の前方または後方に位置するとともに、天板の前端部または後端部の裏面が、脚体上部の前面または後面に当接して停止するようにしたことを特徴としている。
この特徴によれば、不使用位置まで回動させた天板が、脚体の前方または後方に位置するので、天板の大きさに関係なく、上位の椅子の脚体を、下位の椅子の脚体に、天板に干渉させることなく容易に積み重ねることができる。また、天板を不使用位置で停止させるストッパを別途設ける必要がなく、しかも、上位の椅子の天板の前方または後方に、下位の椅子の天板が位置するようにして積み重ねることができるので、上位の椅子の天板が下向きに回動するのが防止される。
【００１１】
本発明の机は、
天板における枢着部と反対側の裏面に、天板を使用位置としたとき、脚体の上端部の下面に係合する係止片と、この係止片を脚体より離脱させる方向に移動させうる操作部とを備える保持具を設けたことを特徴としている。
この特徴によれば、保持具により、天板を使用位置に確実に保持しうるとともに、天板を持って机を移動したりする際に、使用位置にある天板が不意に上向きに回動するのが防止される。また、保持具が、積み重ねた机の天板間に位置するようになるので、天板同士が直接接触することがなく、天板の表面に擦り傷等が形成される恐れが小さくなる。
【００１２】
本発明の机は、
前部または後部の横杆の両側端部に、天板の前端部または後端部の裏面を、枢支具をもって枢着することにより、天板が回動可能に枢着され、前記枢支具は、前記天板の回動時に、脚体に接触して弾性変形される変形部を有することを特徴としている。
この特徴によれば、天板の回動時に変形部が弾性変形し、この弾性変形力が抵抗となって、天板が不使用位置から使用位置までゆっくりと倒れるようになり、天板の急な倒れ込みを防止できる。
【図面の簡単な説明】
【００１３】
【図１】実施例１における机の正面図である。
【図２】同じく、左側面図である。
【図３】同じく、後面図である。
【図４】天板を不使用位置としたときの机の後方斜視図である。
【図５】同じく、側面図である。
【図６】同じく、平面図である。
【図７】天板枢着部の拡大縦断側面図である。
【図８】保持具装着部の拡大縦断正面図である。
【図９】複数の机を積み重ねた状態の側面図である。
【図１０】実施例２における天板を不使用位置としたときの机の後方斜視図である。
【図１１】天板枢着部の拡大縦断側面図である。
【図１２】枢支具の拡大斜視図である。
【図１３】枢支具が前向水平杆に当接したときの拡大斜視図である。
【図１４】枢支具の拡大縦断背面図である。
【発明を実施するための形態】
【００１４】
本発明に係る机を実施するための形態を実施例に基づいて以下に説明する。
【実施例１】
【００１５】
実施例１に係る机につき、図１から図９を参照して説明する。図１は、本発明の、学校等で使用される学習用机の正面図、図２は左側面図、図３は後面図、図４は、天板を不使用位置まで回動したときの後方斜視図、図５は、同じく側面図、図６は、同じく平面図である。尚、以下の説明において、図２、図５の右方、及び図６の紙面上方を、使用者が着座する椅子が配置される机の前方側とする。
【００１６】
図１〜図６に示すように、机１の脚体２は、平面視前向きコ字状のパイプよりなるベース脚３と、その左右の側部脚杆３ａ、３ａの前端に下端が連結された正面及び後面視下向きコ字状のパイプよりなる前脚４と、ベース脚３における左右方向を向く後部脚杆３ｂの両側端部の上面に下端が結合された左右１対のパイプ製の後脚５、５とを備える。図４及び５に示すように、両後脚５の上端に連設された前向水平杆６の前端は、前脚４の上端の左右方向を向く前部横杆４ａの両側部後面に結合されている。
【００１７】
また、図６に示すように、左右の前向水平杆６、６の後端部の対向面同士は、パイプよりなる後部横杆７により連結されている。前記前部横杆４ａと後部横杆７と左右の前向水平杆６、６とにより、それぞれ、後記する天板１２の前後の両端部下面と、左右の両端部下面とが支持されるようになっている。
【００１８】
図１及び図３に示すように、前脚４における上下方向を向く左右の縦杆４ｂ、４ｂの離間寸法は、後脚５の離間寸法よりも大とされる。また、図６に示すように、ベース脚３の左右の側部脚杆３ａ、３ａの離間寸法は、左右の前向水平杆６、６の離間寸法よりも大とされている。
【００１９】
図２に示すように、左右の縦杆４ｂは、側面視において若干斜め後ろ上方に傾斜させてある。前部横杆４ａと後部横杆７、及び左右の前向水平杆６、６により囲まれた枠状空間部には、前方と上方に開口するワイヤー状の物品収納棚８が取り付けられている。すなわち、物品収容棚８は、その両側面に固着された正面視倒立Ｌ字状をなす側面板９、９の上端の外向水平片９ａ、９ａを、左右の前向水平片６、６の上面に固着することにより、前部横杆４ａと後部横杆７、及び左右の前向水平杆６、６の上端よりも下方に位置するようにして取り付けられている。尚、符号１０は、後脚５、５の上端部に取り付けられた幕板であり、符号１１、１１は、物品収容棚８の両側面の下端部に外向きに突設するように固着された物品吊支用のフックである。
【００２０】
前脚４の上端の前部横杆４ａには、この前部横杆４ａを枢軸として、天板１２の前端部の両側部裏面が、左右１対の枢支具１３、１３により、前上方に回動可能に枢着されている。天板１２の左右寸法は、脚体２の左右の最大寸法よりも若干大とされている。尚、枢支具１３は合成樹脂等の材質により形成されている。
【００２１】
図７の断面図に示すように、枢支具１３は、上方に開口する半円状断面の受け部１３ａと、前後方向を向く取付部１３ｂとからなり、受け部１３ａを前部横杆４ａの側端部に下方より嵌合させて、取付部１３ｂを２個の皿ねじ１４により天板１２の前端部裏面に固定することにより、天板１２は、前部横杆４ａを中心として上向きに回動しうるように枢着されている。尚、天板１２は、ほぼ水平をなす使用位置から、９０度より若干小さい角度、すなわち、天板１２の前端部の両側端部裏面が、前脚４の縦杆４ｂの上端部の前面と当接する不使用位置まで、上向きに回動させることができる。
【００２２】
図４及び図８の断面図に示すように、左右の前向水平杆６の外側において、天板１２の後端部の左右両端部裏面には、天板１２を水平の使用位置に保持する保持具１５、１５がねじ止めされている。尚、保持具１５は合成樹脂等の材質により形成されている。
【００２３】
この保持具１５は、保持具本体１５ａの内部に収納されたばね（図示略）により、常時前向水平杆６側に突出するように付勢された係止片１５ｂと、保持具本体１５ａの下面側より操作することにより、係止片１５ｂを、内部のばねに抗して保持具本体１５ａ側に引き込むように操作し得るようにした操作つまみ１５ｃとを備える公知のもので、係止片１５ｂが物品収納棚８における側面板９の外向水平片９ａの側端部下面に係合することにより、天板１２が水平の使用位置に保持されるようになっている。尚、操作つまみ１５ｃを外側方に操作して、係止片１５ｂと外向水平片９ａとの係合を解除すれば、天板１２を上向きに回動させることができる。
【００２４】
机１を積み重ねる際は、図９に示すように、上下の椅子１の天板１２を最大限上向きに回動させて不使用位置とし、下位の椅子１の天板１２の後面側に、上位の椅子１の天板１２が重合するようにして、下位の椅子１の脚体２に、上位の椅子１の脚体２を上方より嵌合すればよい。この際、上位の椅子１の物品収納棚８の両側面の下端部に突設したフック１１の下端が、下位の椅子１の物品収納棚８における側面板９の外向水平片９ａの上面に当接するようにして、積み重ねられる。
【００２５】
このようにして積み重ねると、上位の椅子１の天板１２と近接する前方には、下位の椅子１の天板１２が位置しているので、上位の椅子１の天板１２が下向きに回動するのが防止される。また、保持具１５が前後の天板１２間に位置されて、スペーサの作用をするので、天板１２同士が接触して表面に擦り傷等を発生させる恐れが小さくなる。
【００２６】
以上説明したように、前記実施例１の机１においては、脚体２の前上端部の左右方向を向く前部横杆４ａに前端部を枢着した天板１２を、上下方向を向く不使用位置まで回動させることにより、複数の机１を、下位の机の天板１２と干渉させずに積み重ねることができる。従って、天板１２の前後左右寸法が、脚体２により制限されることがなく、その平面形よりも大とすることができるので、机１同士を左右に隣接して配置した際に、左右の天板１２間に隙間が形成されるのが防止される。
【００２７】
また、天板１２を上向きに回動させた状態で積み重ねできるので、従来のように、天板を脚体から着脱する手間が省けるとともに、天板１２の厚さ分だけ、積み重ね高さが低くなるので、複数積み重ねた椅子の安定性が高まる。
【００２８】
更に、天板１２は、その後端部の裏面が、枢支具１３により脚体２の上部横杆４ａに枢着され、天板１２を不使用位置まで回動させると、脚体２の前方に天板１２が位置するようになるので、天板１２の大きさに関係なく、上位の椅子１の脚体２を、下位の椅子１の脚体２に、天板１２に干渉させることなく容易に積み重ねることができる。しかも、天板１２を不使用位置まで回動させると、その前端部の裏面が、前脚４の縦杆４ｂの上端部の前面と当接して停止するので、天板１２を不使用位置で停止させるストッパを別途設ける必要がない。
【００２９】
天板１２の後端部の裏面には、天板１２を使用位置に保持する保持具１５が設けられているので、保持具１５により、天板１２を使用位置に確実に保持しうるとともに、天板１２を持って机１を移動したりする際に、天板１２が不意に上向きに回動するのが防止される。
【実施例２】
【００３０】
実施例２に係る机につき、図１０から図１４を参照して説明する。図１０に示すように、実施例２の机１では、枢支具１３’、１３’の構成が実施例１の枢支具１３、１３と異なっている。尚、この枢支具１３は実施例１と同様に合成樹脂等の材質により形成されている。
【００３１】
図１１及び１２に示すように、実施例２の枢支具１３’は、実施例１の枢支具１３よりも幅広の略矩形状をなし、上方に開口する半円状断面の受け部１３ａと、取付部１３ｂとを有している。実施例１と同様に、実施例２の枢支具１３’は、受け部１３ａを前部横杆４ａの側端部に下方より嵌合させて、取付部１３ｂを４個の皿ねじ１４により天板１２の前端部裏面に固定する。
【００３２】
更に、枢支具１３’の側面には、左右方向の突出される凸部１３ｃと、この凸部１３ｃの近傍に設けられたスリット孔１３ｄとを有している。図１３に示すように、天板１２を不使用位置から使用位置まで回動させる際に、凸部１３ｃが脚体２の前向水平杆６に接触し、凸部１３ｃが前向水平杆６により押圧されて、枢支具１３’におけるスリット孔１３ｄが形成された部位である変形部１３ｅが弾性変形される。
【００３３】
このようにすることで、天板１２の回動時に変形部１３ｅが弾性変形し、この弾性変形力が抵抗となって、天板１２が不使用位置から使用位置までゆっくりと倒れるようになり、天板１２の急な倒れ込みを防止できる。尚、枢支具１３’は左右対称の形状をしており、１種類の枢支具１３’を製作しておけば、前部横杆４ａの左右いずれの位置であっても取り付けることができる。
【００３４】
図１４に示すように、天板１２が使用位置になると、枢支具１３’の凸部１３ｃが前向水平杆６を乗り越えて、再び弾性変形された変形部１３ｅが復元され、凸部１３ｃが前向水平杆６の下面に当接される。このようにすることで、変形部１３ｅが長時間弾性変形されて歪んだり破損してしまうことを防止できる。また、例えば、不用意な操作つまみ１５ｃの操作により保持具１５の係止片１５ｂが前向水平杆６から外れたとしても、凸部１３ｃが抵抗になり、天板１２が急に持ち上がってしまうことを防止できる（図８参照）。
【００３５】
以上、本発明の実施例を図面により説明してきたが、具体的な構成はこれら実施例に限られるものではなく、本発明の要旨を逸脱しない範囲における変更や追加があっても本発明に含まれる。
【００３６】
例えば、前記実施例では、天板１２の前端部の裏面を、枢軸である前脚４の前部横杆４ａに枢着しているが、左右の前向水平杆６、６の後端部の対向面同士を連結している後部横杆７を枢軸として、この後部横杆７に、天板１２の後端部の裏面を、前記と同様の枢支具１３を用いて、後ろ上方に回動させ得るように枢着することもできる。この際には、保持具１５は、天板１２の前端部の裏面に取り付ければよく、また、幕板１０は省略してもよい。
【００３７】
前記実施例では、保持具１５の係止片１５ｂを、脚体２と実質的に一体をなす物品収納棚８の外向水平片９ａの下面に係合するようにしているが、物品収納棚８を省略した際には、脚体２の前向水平杆６の下面に、外側方から直接係合させるようにしてもよい。
【符号の説明】
【００３８】
１                机
２                脚体
３                ベース脚
３ａ              側部脚杆
３ｂ              後部脚杆
４                前脚
４ａ              前部横杆（枢軸）
４ｂ              縦杆
５                後脚
６                前向水平杆
７                後部横杆（枢軸）
８                物品収納棚
９                側面板
９ａ              外向水平片
１０              幕板
１１              フック
１２              天板
１３              枢支具
１３ａ            受け部
１３ｂ            取付部
１３ｃ            凸部
１３ｄ            スリット孔
１３ｅ            変形部
１４              皿ねじ
１５              保持具
１５ａ            保持具本体
１５ｂ            係止片
１５ｃ            操作つまみ（操作部）
【図１】
2010240208.tif 000003
【図２】
2010240208.tif 000004
【図３】
2010240208.tif 000005
【図４】
2010240208.tif 000006
【図５】
2010240208.tif 000007
【図６】
2010240208.tif 000008
【図７】
2010240208.tif 000009
【図８】
2010240208.tif 000010
【図９】
2010240208.tif 000011
【図１０】
2010240208.tif 000012
【図１１】
2010240208.tif 000013
【図１２】
2010240208.tif 000014
【図１３】
2010240208.tif 000015
【図１４】
2010240208.tif 000016